【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
炭素含有原料を液体輸送燃料に転換する方法であって、
炭素含有原料をＨ２，ＣＯ，ＣＯ２およびＮ２を含む発生炉ガスに転換する工程と、
発生炉ガスを基材触媒と反応させて、フィッシャー・トロプシュ（ＦＴ）生成物の組み合わせを生産する工程であって、前記ＦＴ生成物は液体輸送燃料を含む工程と、
ＦＴ生成物の一部を触媒的に変換させて、追加量の液体輸送燃料を生産する工程と、
ＦＴ生成物の一部を水素化して、追加量の液体輸送燃料を生成する工程と
を含む方法。
【手続補正２】
【補正対象書類名】明細書
【補正対象項目名】発明の名称
【補正方法】変更
【補正の内容】
【発明の名称】炭素含有原料を炭化水素液体輸送燃料に転換する方法
【手続補正３】
【補正対象書類名】明細書
【補正対象項目名】００５３
【補正方法】変更
【補正の内容】
【００５３】
また、本明細書および下記請求項において用いる「含む」は、記載の特徴、整数、成分または工程の存在を明記することを意図しており、１つ以上の他の特徴、整数、成分、工程、行為または群の存在または追加を除外するものではない。
以下、上記実施形態から把握できる技術的思想を付記する。
（付記１）
炭素含有原料を液体輸送燃料に転換する方法であって、
炭素含有原料をＨ２，ＣＯ，ＣＯ２およびＮ２を含む発生炉ガスに転換する工程と、
発生炉ガスを基材触媒と反応させて、フィッシャー・トロプシュ（ＦＴ）生成物の組み合わせを生産する工程であって、前記ＦＴ生成物は液体輸送燃料を含む工程と、
ＦＴ生成物の一部を触媒的に変換させて、追加量の液体輸送燃料を生産する工程と、
ＦＴ生成物の一部を水素化して、追加量の液体輸送燃料を生成する工程と
を含む方法。
（付記２）
炭素含有原料はバイオマスを含むことを特徴とする付記１に記載の方法。
（付記３）
バイオマスは、約５重量％〜約３５重量％の水分含量を有することを特徴とする付記１に記載の方法。
（付記４）
バイオマスは、約５重量％〜約２０重量％の水分含量を有することを特徴とする付記１に記載の方法。
（付記５）
炭素含有原料は、メタン、石油精製副生成物、石炭または泥炭を含むことを特徴とする付記１に記載の方法。
（付記６）
液体輸送燃料は、ガソリン、ディーゼル燃料、航空燃料、および合成パラフィンケロシンからなる群より選択されることを特徴とする付記１に記載の方法。
（付記７）
Ｎ２は、発生炉ガスの約３０体積％〜約６０体積％を構成することを特徴とする付記１に記載の方法。
（付記８）
発生炉ガスの一部を水性ガスシフト（ＷＧＳ）反応に供することによりＨ２：ＣＯの比を増加させる工程をさらに含むことを特徴とする付記１に記載の方法。
（付記９）
ＷＧＳ反応は、基材触媒によって触媒されることを特徴とする付記８に記載の方法。
（付記１０）
ＦＴ生成物は、メタン、エタン、プロパン、ブタン、軽質オレフィン、ガソリン、合成パラフィンケロシン、ケロシン、航空燃料、ディーゼル燃料、燃料油、およびワックスからなる群より選択されることを特徴とする付記１に記載の方法。
（付記１１）
軽質オレフィンは、エチレン、プロピレンまたはブチレンを含むことを特徴とする付記１０に記載の方法。
（付記１２）
ＦＴ生成物の一部を触媒的に変換させる工程は、
ＦＴ生成物をゼオライト触媒に接触させる工程と、
ワックスを含むＦＴ生成物構成物質を、ゼオライト触媒を用いてより低分子の２つ以上の炭化水素に分割する工程と、
軽質オレフィンを含むＦＴ生成物構成物質をアルキル芳香族化合物に芳香族化させる工程と、
軽質オレフィンを重合させてより高分子のオレフィン化合物を形成する工程と含むことを特徴とする付記１に記載の方法。
（付記１３）
アルキル芳香族化合物は、トルエン、エチルベンゼン、キシレン、エチルトルエン、プロピルベンゼン、プロピルトルエン、ブチルベンゼン、エチルプロピルベンゼン、およびブチルトルエンからなる群より選択されることを特徴とする付記１２に記載の方法。
（付記１４）
ＦＴ生成物の一部を水素化する工程は、触媒的な変換工程によって生産される不飽和炭化水素を水素化する工程を含むことを特徴とする付記１に記載の方法。
（付記１５）
ＦＴ生成物の一部を水素化する工程は、ＦＴ生成物の少なくとも一部をパラジウム、プラチナ、またはパラジウムとプラチナとの組み合わせを含む水素化触媒の固定床に流す工程を含むことを特徴とする付記１に記載の方法。
（付記１６）
パラジウム水素化触媒は、アルミナ基材上に約０．５重量％のパラジウムを含むことを特徴とする付記１５に記載の方法。
（付記１７）
ＦＴ生成物の一部を水素化する工程は、水素化のための水素を、発生炉ガスのみから、または発生炉ガスから部分的に供給する工程を含むことを特徴とする付記１に記載の方法。
（付記１８）
ＦＴ生成物の一部を水素化する工程は、水素化のための水素を副生成物ガスまたは排副生成物ガスから回収される水素から供給することを含むことを特徴とする、付記１に記載の方法。
（付記１９）
基材触媒を発生炉ガス中のＮ２によって冷却することをさらに含むことを特徴とする、付記１に記載の方法。
（付記２０）
発生炉ガスを基材触媒と反応させるための圧力は、約１．７２×１０６Ｐａ（Ｇ）（約２５０ｐｓｉｇ）以下であることを特徴とする付記１に記載の方法。
（付記２１）
発生炉ガスを基材と反応させるための温度は、約３００℃以下であることを特徴とする付記１に記載の方法。
（付記２２）
発生炉ガスを基材触媒と反応させるための温度は、約２５０℃〜約３００℃であることを特徴とする付記１に記載の方法。
（付記２３）
炭素含有原料を液体輸送燃料に転換するための装置であって、
炭素含有原料をＮ２，ＣＯ，Ｈ２およびＣＯ２を含む発生炉ガスに転換するように動作可能な発生炉ガス反応器と、
発生炉ガス反応器に連通するように結合されたフィッシャー・トロプシュ反応器であって、フィッシャー・トロプシュ反応器は、発生炉ガスの一部をフィッシャー・トロプシュ（ＦＴ）生成物の組み合わせに転換するように動作可能であり、ＦＴ生成物は液体輸送燃料を含む、フィッシャー・トロプシュ反応器と、
フィッシャー・トロプシュ反応器に連通するように結合された変換反応器であって、ＦＴ生成物の一部を触媒的に転換して、追加量の液体輸送燃料を生産するように動作可能な変換反応器と、
クラッキング反応器に連通するように結合された水素化反応器であって、ＦＴ生成物の一部を水素化して追加量の液体輸送燃料を生産するように動作可能な水素化反応器と
を含む装置。
（付記２４）
発生炉ガス反応器は、バイオマスおよび空気を発生炉ガスに転換するように動作可能なバイオマスガス化反応器であることを特徴とする付記２３に記載の装置。
（付記２５）
バイオマスは、木質バイオマス、非木質バイオマス、セルロース製品、リグニン生成物または副生成物、段ボール、繊維ボード、紙、プラスチックおよび食料品からなる群より選択されることを特徴とする付記２４に記載の装置。
（付記２６）
フィッシャー・トロプシュ反応器は、フィッシャー・トロプシュ触媒を充填した導管を含み、前記導管は、約１９．４ｃｍ２（約３平方インチ）から約６４．５ｃｍ２（約１０平方インチ）の範囲の内部断面積を有することを特徴とする付記２３に記載の装置。
（付記２７）
導管は、円形、楕円形、三角形、正方形、矩形、台形、多角形からなる群より選択される断面形状を有することを特徴とする付記２６に記載の装置。
（付記２８）
導管は、約５．１ｃｍ（約２インチ）から約７．６ｃｍ（約３．５インチ）の範囲の直径を有する円筒管を含むことを特徴とする付記２６に記載の装置。
（付記２９）
フィッシャー・トロプシュ反応器は、それぞれフィッシャー・トロプシュ触媒を充填した複数の導管を含むことを特徴とする付記２３に記載の装置。
（付記３０）
フィッシャー・トロプシュ反応器は、鉄を含むフィッシャー・トロプシュ触媒を含むことを特徴とする付記２３に記載の装置。
（付記３１）
フィッシャー・トロプシュ反応器は、Ｈ２ＯとＣＯの間の水性ガスシフト反応を触媒して、Ｈ２およびＣＯ２を生産するように動作可能なフィッシャー・トロプシュ触媒を含むことを特徴とする付記２３に記載の装置。
（付記３２）
変換反応器は、ワックスを触媒的に分解し、軽質オレフィンを芳香族化し、かつ軽質オレフィンを重合化することが可能なゼオライト触媒を含むことを特徴とする付記２３に記載の装置。
（付記３３）
ゼオライトは、ＺＳＭ−５ゼオライトを含むことを特徴とする付記３２に記載の装置。
（付記３４）
水素化反応器は、パラジウムを含む水素化触媒を含むことを特徴とする付記２３に記載の装置。
（付記３５）
水素化触媒は、アルミナ上のパラジウムを含むことを特徴とする付記３４に記載の装置。
（付記３６）
前記装置は、単一モジュールの場合と比べてより高速で炭素含有原料を液体輸送燃料に転換する調整された装置を形成するように、１つまたはそれ以上の追加のモジュールと連結可能な単一モジュールであることを特徴とする付記２３に記載の装置。
（付記３７）
炭素含有原料を炭化水素ワックスに転換するための方法であって、
炭素含有原料をＨ２，ＣＯ，ＣＯ２およびＮ２を含む発生炉ガスに転換する工程と、
発生炉ガスを基材触媒と反応させて、フィッシャー・トロプシュ（ＦＴ）生成物の組み合わせを生産する工程であって、ＦＴ生成物は炭化水素ガスおよび液体、および炭化水素ワックスの第１の部分を含む工程と、
炭化水素ガスおよび液体の少なくとも一部を基材触媒と反応させて炭化水素ワックスの第２の部分を生産する工程とを含む方法。